(57)【要約】      （修正有）【課題】従来、住宅用の柱・梁・土台用の角材は自然乾燥させたものが広く用いられてきた。このような柱・梁・土台用の角材は芯持ちでなかったり、芯持ちの物は背割りを入れている。この背割が、年月とともに巾が広くなるという欠点を解決する角材を提供する。【解決手段】一本の芯持ち丸太の角材に背割りを入れ、その背割りが外観に見えないよう、内部に封じ込め接着し、各構成部材を一体化してより強度を増した柱・梁・土台用角材により解決する。【選択図】図１
0003162892.tif 000002
【実用新案登録請求の範囲】
【請求項１】
丸太一本から製造した芯持ち角材の一辺から一箇所の背割りを入れ乾燥させた後、四側面の整形を施し、これと同体的な別の角材を造り内部に背割りを閉じ込めて外観に見えないように組み、プレス装置を用いて接着剤を介して接着し各構成部材を一体化できることを特徴とする柱・梁・土台用及びその製造組立て方法。
【請求項２】
角材の組立てにおいて正方形・長方形・直角・Ｔ字型・十字型などの形状で一体化し、強度を高めることを特徴とする請求項１記載の柱・梁・土台用及びその製造組立て方法。
【考案の詳細な説明】
【技術分野】
【０００１】  本新案は強度・意匠性に優れた柱・梁・土台用角材及びその製造組立て方法に関する。
【背景技術】
【０００２】  従来の集合材には鼓状空間に鼓状接合材を長手方向に嵌挿し構成部材同士を接合している集合材がある。
【先行技術文献】
【特許文献】
【０００３】
【特許文献１】特開２００５−３５２６２
【考案の概要】
【考案が解決しようとする課題】
【０００４】  従来、住宅用の柱・梁・土台用の角材は自然乾燥させたものが広く用いられてきた。このような柱・梁・土台用の角材は芯持ちでなかったり、芯持ちの物は背割りを入れている。この背割が、年月とともに巾が広くなるという欠点を解決しようとするものである。
【課題を解決するための手段】
【０００５】  本考案は一本の丸太の芯持ち特有の強度のある角材に、芯に向かって背割りを入れその背割りが外部に見えないよう、内部に封じ込めプレス装置を用いて接着剤を介して接着し各構成部材を一体化することにより強度をもたせ問題点を解決する。
【考案の効果】
【０００６】  資源が枯渇しつつある天然の大径木に替えて、大径の集合材による柱・梁が生産でき、木造の大規模住宅、神社、仏閣、学校、体育館、役所庁舎等、各方面の大規模木造建築が可能となる。【０００７】  間伐材を木目や節を生かした、より高級なものとして、材料に天然ムクの一枚板を張ることで従来品と全く違わない高級内装用としても活用できる。【０００８】  間伐材の使用倍僧を促進させることにより、ＣＯ２問題や地球環境の改善に寄与します。
【図面の簡単な説明】
【０００９】
【図１】図１は本考案の実施形態により得られる各構成部材の基本的な組み方斜視図である。
【図２】芯持ち丸太。
【図３】背割り入り芯持ち角材である。
【図４】図１の用途別組み方の実施例である。
【考案を実施するための形態】
【００１０】  芯持ち角材の一辺から芯に向かって一箇所の背割りを入れ、乾燥させた後、四側面を整形し、これと同体的な別の角材を造り、内部に背割りを閉じ込めて外観に見えないように組み、プレス装置で接着剤を介して各構成部材を一体化させる。
【実施例】
【００１１】  角材１を図２の芯３に向かって図３背割り２を入れる。次いで従来知られている乾燥方法である自然乾燥と人工乾燥だが、好ましい人工乾燥としては、温度及び湿度を制御可能な乾燥装置により乾燥させる方法を挙げることができるが、自然乾燥が乾燥工程のエネルギーコストをより抑制することができる。【００１２】  次いで乾燥させた角材に対して、生じた反りや歪みを除去する加工を施す。即ち乾燥後の角材は反りや歪みが生じていることが多く、そのままでは各構成部材を接着しても十分な強度が得られない恐れがある。角材１各面に対して反りや歪みを除去する加工をプレーナーモルダー等の各種公告の装置を用いて施す。【００１３】  次いで整形を施した各種構成部材角材を各種公告のプレス装置を用い接着剤を介して接着し、各構成部材を一体化させ大小に変化し形の変形にも応用できる角材図１。【００１４】  次いで図１を基本として図４による各種類の正方形・長方形・直角・Ｔ字型・十字型などに変形させ、より強度のある柱・梁・土台用の角材が得られる。
【産業上の利用可能性】
【００１５】  本考案は、現在ある芯持ち建築角材に、プレス装置を用い接着剤を介して数の結合によって大きさを変化させ、組み方で正方形や長方形に又、直接Ｔ字型・十字型・梁などにしてより強度を増した製品にすることができます。そして芯持ち角材で絶対に必要な背割りですが、現在の角材背割りは年月を重ねると背割りの巾が広くなる特徴があります。本製品は背割りを中へと閉じ込めて外観に見えなくしています。また柱・梁などの両端末の加工により背割りが必要でない時は両端末の加工に支障がない所まで取り除くことが出来ます。本製品はシンプルで、そのうえ高度な技術も必要なく強度な角材の製造ができ、原価も抑えることができます。現在の集合材柱・梁は短材・短巾の集合材であり、県外発注などで原価も高くなっております。高知県内には製材業者、プレカット業者などがありますが、集合材組立てで特に必要な乾燥機プレス機械が少ないように思われます。県内で東部・中部・西部での拠点があれば、他県に遅れをとることがないと思われます。また近年建築件数が減少していますが、地震・Ｃｏ２・建築強度など、安全への意識が高くなっています。自分の持ち家での耐震強度を高めていき、「命を守る」ことが重要な建築の判断基準となってきております。また大阪市の建築士らによる「Ｊ  Ｐｏｄ工法協会」では早くも間伐材による耐震シェルターが開発されています。費用は４畳半の広さで１５０万円から２００万円で、昨年１０月に４畳半の部屋で実験したところ、瓦屋根の１２畳間（約１０ｔ）が落下しても壊れないことを証明されております。本製品の目的は、現在の建築に、より大きな集合材を使ってもらい、家全体を少しでも耐震シェルターのように強度のある建築物にすると共に、間伐材の使用を何倍にも増やせる要素をもっており、Ｃｏ２の問題や地球環境の改善にも寄与します。また学校・体育館・神社・仏閣などの大型建築で、柱が９寸物を使用している所にも利用可能性があります。また現在の５寸柱を縦横に２列並べれば１０寸になり木材波及効果は４倍にも利用可能性があると思われます。強度や敷地の問題などで鉄筋コンクリートや鉄骨での建築の場合があると思われますが、せめて最上階は木材建築にとお願いしたいものです。また国・県におかれましては特に各種角材の大小の集合材柱・梁などでの強度実験のデーター蓄積をお願い致したく、できれば本製品をモデル的に使用してくだされば間伐材製品の波及に絶大な効果を発揮すると思われます。
【符号の説明】
【００１６】  １  芯持ち角材
２  背割り
３  芯
４  丸太
【図１】
0003162892.tif 000003
【図２】
0003162892.tif 000004
【図３】
0003162892.tif 000005
【図４】
0003162892.tif 000006
【手続補正書】
【提出日】平成22年7月1日(2010.7.1)
【手続補正２】
【補正対象書類名】明細書
【補正対象項目名】０００１
【補正方法】変更
【補正の内容】
【技術分野】
【０００１】
本新案は強度・意匠性に優れた柱・梁・土台用の組合せ芯持ち角材
【手続補正３】
【補正対象書類名】実用新案登録請求の範囲
【補正対象項目名】全文
【補正方法】変更
【補正の内容】
【実用新案登録請求の範囲】
【請求項１】
丸太一本から製造した芯持ち角材の一辺から一箇所の背割りを入れ乾燥させた後、四側面の整形を施し、これと同体的な別の角材を造り内部に背割りを閉じ込めて外観に見えないように組み、プレス装置を用いて接着剤を介して接着し各構成部材を正方形・長方形・直角・Ｔ字型・十字型の形状で一体化し、強度を高めることを特徴とする柱・梁・土台用の組合せ芯持ち角材。
【請求項２】
高級内装用として全体表面に、天然ムクの一枚板を張ることを特徴とする請求項１に記載の柱・梁・土台用の組合せ芯持ち角材。